(57)【要約】 【課題】  バッテリーポストに接続する際の操作力を低減する。【解決手段】  バッテリーターミナル１０は、バッテリーポストＰの側面を取り囲むように回曲する弧状でかつ板状の電極保持部１１と、電極保持部１１を挟んだ一端から他端にかけて、電極保持部１１の側面を回り込みつつ延出された板状の変位部２０と押さえ部２９を備える。変位部２０は、その後端側にてナット３２と係合し、かつこのナット３２の、バッテリーポストＰの軸方向に沿ったねじ操作により、前端側を、後端を支点として押し下げる方向に傾倒する。押さえ部２９は、変位部２０の前端側でかつバッテリーポストＰ側に向けて配設され、変位部２０の傾倒動作に伴いバッテリーポストＰの側面に食い込む。【選択図】  図４
2006318751.tif 000002
【特許請求の範囲】
【請求項１】
バッテリーポストの側面のうちの少なくとも一端側を覆うように配される板状の電極保持部と、
前記電極保持部を挟んだ一端から他端にかけて、前記電極保持部を回り込みつつ延出し、その他端側にてねじ部材と係合し、かつこのねじ部材の、前記バッテリーポストの軸方向に沿ったねじ操作により、前記他端側を、前記一端を支点として押し下げる方向に傾倒する板状の変位部と、
前記変位部の他端側でかつ前記バッテリーポスト側にあって、前記変位部の傾倒動作に伴って前記バッテリーポストの側面を、対向する前記電極保持部の内面との間に押さえ付ける押さえ部とを備えたことを特徴とするバッテリーターミナル。
【請求項２】
前記押さえ部の先端部は、変位動作の完了により前記バッテリーポストの側面に食い込んだ状態となることを特徴とする請求項１に記載のバッテリーターミナル。
【請求項３】
前記押さえ部は前記バッテリーポストの基端側に屈曲して前記バッテリーポストの側面に当接可能な押さえ本体を有し、この押さえ本体の先端位置は、前記変位部が前記バッテリーポストの軸方向と直交する水平方向に沿って配されたときに、前記変位部の一端位置よりも前記バッテリーポストの基端寄りに設定されていることを特徴とする請求項１または請求項２に記載のバッテリーターミナル。
【請求項４】
前記ねじ部材はボルトと螺合可能なナットにより構成され、
前記変位部の傾倒動作の完了により、前記押さえ部の先端部と前記バッテリーポストの側面との接点を支点として前記変位部の他端側が撓み変形させられ、その弾性反力によって前記ナットの雌ねじと前記ボルトの雄ねじとが密着する方向に前記ナットが押し付けられることを特徴とする請求項１ないし請求項３のいずれかに記載のバッテリーターミナル。
【発明の詳細な説明】
【技術分野】
【０００１】
本発明は、バッテリーターミナルに関する。
【背景技術】
【０００２】
自動車などのバッテリーに接続されるバッテリーターミナルとして、特許文献１に記載のものなどが知られている。このものは、バッテリーポストを取り囲むように回曲する弧状の電極保持部と、電極保持部の両端から対向状に延出する一対の係合片と両係合片に組み付けられて電極保持部を縮径方向に変形する締付部材と締付部材に締付力を付与するボルト及びナットとを備えて構成される。
【特許文献１】特開２００３−１５１６５１公報
【発明の開示】
【発明が解決しようとする課題】
【０００３】
上記したバッテリーターミナルは、ボルトとナットとを螺合する際の操作力によって締付部材を介して電極保持部を縮径変形させ、これにより電極保持部とバッテリーポストとの接続を図るものである。したがって、締付部材による締付力がバッテリーポストに直接に伝わりにくく、過大な操作力が必要とされて作業負担になるという事情があった。
【０００４】
本発明は上記のような事情に基づいて完成されたものであって、バッテリーポストとの接続時における操作力を低減することを目的とする。
【課題を解決するための手段】
【０００５】
上記の目的を達成するための手段として、請求項１の発明は、バッテリーポストの側面のうちの少なくとも一端側を覆うように配される板状の電極保持部と、前記電極保持部を挟んだ一端から他端にかけて、前記電極保持部を回り込みつつ延出し、その他端側にてねじ部材と係合し、かつこのねじ部材の、前記バッテリーポストの軸方向に沿ったねじ操作により、前記他端側を、前記一端を支点として押し下げる方向に傾倒する板状の変位部と、前記変位部の他端側でかつ前記バッテリーポスト側にあって、前記変位部の傾倒動作に伴って前記バッテリーポストの側面を、対向する前記電極保持部の内面との間に押さえ付ける押さえ部とを備えたところに特徴を有する。
【０００６】
請求項２の発明は、請求項１に記載のものにおいて、前記押さえ部の先端部は、変位動作の完了により前記バッテリーポストの側面に食い込んだ状態となるところに特徴を有する。
請求項３の発明は、請求項１または請求項２に記載のものにおいて、前記押さえ部は前記バッテリーポストの基端側に屈曲して前記バッテリーポストの側面に当接可能な押さえ本体を有し、この押さえ本体の先端位置は、前記変位部が前記バッテリーポストの軸方向と直交する水平方向に沿って配されたときに、前記変位部の一端位置よりも前記バッテリーポストの基端寄りに設定されているところに特徴を有する。
【０００７】
請求項４の発明は、請求項１ないし請求項３のいずれかに記載のものにおいて、前記ねじ部材はボルトと螺合可能なナットにより構成され、前記変位部の傾倒動作の完了により、前記押さえ部の先端部と前記バッテリーポストの側面との接点を支点として前記変位部の他端側が撓み変形させられ、その弾性反力によって前記ナットの雌ねじと前記ボルトの雄ねじとが密着する方向に前記ナットが押し付けられるところに特徴を有する。
【発明の効果】
【０００８】
＜請求項１の発明＞
バッテリーポストの軸方向に沿ってねじ部材のねじ操作を行うことにより、変位部をその一端を支点として、その他端を押し下げる方向に傾倒させる。すると、この傾倒動作に伴って押さえ部が対向する電極保持部の内面との間にバッテリーポストを押さえ付けるから、変位部の一端を支点、変位部の他端側におけるねじ部材との係合位置を力点、押さえ部とバッテリーポストとの当接位置を作用点とするてこが構成され、操作力を低減することができる。また、押さえ部がバッテリーポストに対し直接作用するから、接続が確実となる。
【０００９】
＜請求項２の発明＞
押さえ部が、バッテリーポストに食い込むから、バッテリーポストに対する接続がより確実となる。
＜請求項３の発明＞
変位部がその一端を支点として傾倒すると押さえ本体の先端位置は変位部の一端を中心とする回動軌跡を描くことになる。この場合に、押さえ本体の先端位置は、変位部が水平姿勢をとったときに変位部の一端位置よりもバッテリーポストの基端寄りに設定されているから、変位部の一端位置と同じ高さに設定されている場合よりも回動方向の先端側に設定されることになり、その分だけ水平方向に関する変位量を増やすことができる（図５を参照）。したがって、押さえ本体をバッテリーポストに作用させるに際し、ねじ部材のねじ込み量を少なくすることができる。
【００１０】
＜請求項４の発明＞
変位部の傾倒動作の完了により、押さえ部の先端部とバッテリーポストの側面との接触部分を支点として変位部の他端側が撓み変形させられ、その弾性反力によってナットの雌ねじとボルトの雄ねじとが密着する方向にナットが押し付けられるから、ナットの抜け止めを図ることができる。
【発明を実施するための最良の形態】
【００１１】
＜実施形態１＞
本発明の実施形態１を図１ないし図５によって説明する。本実施形態のバッテリーターミナル１０は、導電性の金属板材によって形成され、バッテリーポストＰに取り付けられる電極保持部１１と電極保持部１１の前端から前方（図３における左方に相当し、以下、これを前後方向の基準とする）に延出するベース部１５と電極保持部１１に被せ付けられてこの電極保持部１１を締め付け可能な変位部２０とを備える。電極保持部１１とベース部１５とは一体的に成形され、変位部２０はこれらとは別物品として構成される。
【００１２】
バッテリーポストＰは自動車等に搭載されるバッテリーに突設された電極であって、主に鉛を素材として上端側へ向けて次第に径の小さくなったテーパ状の円柱形に形成されている。
【００１３】
電極保持部１１は、図１に示すように、バッテリーポストＰの側面を取り囲むように回曲する弧状をなし、ベース部１５が配設される側となる前面側には上下方向の全域にわたって開口部１２が形成されている。電極保持部１１の上下方向略中央部にはこの電極保持部１１の前半領域を高さ方向に分断する第一スリット１３が形成されている。第一スリット１３は、その一端が開口部１２の両側縁に開口し、開口部１２を挟んで左右一対が対称に配されている。したがって、電極保持部１１における第一スリット１３を挟んだ上側領域は、ベース部１５と一体化された下側領域よりも内外に撓み変形し易い構造となっている。
【００１４】
電極保持部１１の後面側には、両側に切り入れられた左右一対の第二スリット１３Ｂ間にて後方に折り曲げられた抜け止め突部１４が形成されている。抜け止め突部１４は方形ブロック状をなし、後方に向けて突出する形態とされる。この抜け止め突部１４には後述する変位部２０の受け部２２が嵌入可能とされる。
ベース部１５は前後方向を開放させた箱形をなし、電極保持部１１の前面下端部から前方へ突出して形成されている。詳しくは、ベース部１５は電極保持部１１の開口部１２の両側縁下端部に連結されて上下方向に切り立つように対向に配された両側板１６と、両側板１６の下端から内側に直角曲げされてその端縁同士を離間させた左右一対の下板１８と、両側板１６の上端から内側に直角曲げされてその端縁同士を前後方向に沿って突き合わせた左右一対の上板１７とからなる。
【００１５】
上板１７の突き合わせ縁はベース部１５の幅方向略中央部に設定されており、ここに各端縁に開口する半円弧部１９Ａが合致することにより、ボルト３１の軸部３１Ｂの根元部分を挿通可能な略円形のボルト挿通孔１９が形成される。また、図３に示すように、ベース部１５の内側はボルト３１の頭部３１Ａを収容してボルト３１を起立状態で支持するための支持空間となっている。したがって、ボルト３１は、その頭部３１Ａが上板１７と下板１８との間に挟持された状態で支持空間内に固定され、かつ、その軸部３１Ｂがボルト挿通孔１９から上方へ向けて突出した状態で配置される。
【００１６】
変位部２０は、図１に示すように、全体として概ね前方後円形状をなし、後端側（本発明における一端側）に形成され、上方から電極保持部１１に被せ付けられる略環状のリング部２１と、前端側（本発明における他端側）に形成され、リング部２１の前端から前方へ延出してベース部１５上に対向に配される略方形板状のアーム部２５とからなる。
【００１７】
リング部２１は、その内径寸法が電極保持部１１の先端側の外径寸法と基端側の外径寸法との間の大きさに設定されており、電極保持部１１の上下方向途中に嵌着可能となっている。また、リング部２１には、その最後端位置から周方向に少しずれた位置に、受け部２２が形成されている。受け部２２は、外向きに膨出する略門型枠状をなし、その内側に抜け止め突部１４を嵌入したあと周方向にずらされてリング部２１の最後端位置に設定されることで、その隣接領域に抜け止め突部１４を係止させるようになっている。受け部２２の隣接領域と抜け止め突部１４とが変位部２０の抜け方向で掛止し合うことにより、変位部２０の電極保持部１１からの抜け出しが防止される。
【００１８】
アーム部２５の略中央部には、ベース部１５側から突出するボルト３１の軸部３１Ｂを遊嵌状態で貫通させる、前後方向に長孔状のボルト通し孔２６が形成されている。ボルト３１の軸部３１Ｂの先端部分は、ボルト通し孔２６から上方に突出しており、この先端部分にナット３２が螺合し、さらにナット３２の座面３２Ａがアーム部２５の上面におけるボルト通し孔２６の孔縁部に係合するようになっている。
アーム部２５の幅方向両側端には、ボルト３１にナット３２が過度締めされるのを防止するための過度締付防止片２７が設けられている。この過度締付防止片２７はアーム部２５の幅方向両側を下方に折り曲げることで形成される。
【００１９】
さて、アーム部２５の後端には舌片状の押さえ部２９が形成されている。この押さえ部２９は、両側に切り入れられた左右一対の切欠部２８間にてアーム部２５の平面方向に連なる根元部分と、その根元部分から下方に屈曲して形成される押さえ本体３０とからなり、全体として略Ｌの字状をなしている。そして、押さえ部２９は、その根元部分を支点として撓み変形可能とされ、押さえ本体３０が上記した開口部１２を通してリング部２１内に臨むようになっている。
【００２０】
また、押さえ本体３０はバッテリーポストＰの側面に当接可能とされ、その先端位置は、変位部２０が全体としてバッテリーポストＰの軸方向と直交する水平方向に沿って配されたときに、変位部２０の後端位置（本発明における一端位置）よりも下方に設定される。
【００２１】
ここで、アーム部２９に対しナット３２の締め付け力が作用していないときには、変位部２０の後端位置に相当する受け部２２の隣接領域が抜け止め突部１４に掛け止めされ、かつ、その掛止位置２３と同じ高さにアーム部２５が略水平姿勢をもって連なるようになっている（図３を参照）。一方、アーム部２５に対しナット３２の締め付け力が作用したときには、受け部２２の隣接領域と抜け止め突部１４との掛止位置２３を支点としてアーム部２５が下方へ傾倒するようになっている（図４を参照）。そして、アーム部２５の傾倒動作に伴って押さえ部２９が上記した掛止位置２３を中心として回動し、これにより押さえ本体３０が対向する電極保持部１１の後端内面との間にバッテリーポストＰの側面を押さえ付けるようになっている。
【００２２】
次に、本実施形態の作用を説明する。まず、展開状態にあるベース部１５に対し、下板１８の上面中央部にボルト３１の頭部３１Ａを載せてボルト３１を起立させ、その状態で両側板１６を立ち上げたあとその立ち上げ端を内向きに折り曲げて上板１７を形成し、その曲げ動作に伴って形成されるボルト挿通孔１９の内側にボルト３１の軸部３１Ｂの根元部分を嵌め入れる。
【００２３】
続いて、アーム部２５を上方に持ち上げた状態で受け部２２に抜け止め突部１４を嵌入させ、その状態でリング部２１を周方向にずらして抜け止め突部１４に受け部２２の隣接領域を掛止させる。さらに、アーム部２５を引き下げて略水平姿勢となし、ボルト通し孔２６にボルト３１の軸部３１Ｂの先端部分を嵌め入れる。こうして変位部２０を水平姿勢にセットしたら（この状態における変位部２０の位置を初期位置とする）、今度はボルト通し孔２６から突出するボルト３１の軸部３１Ｂの先端部分にナット３２を緩くねじ込む。
【００２４】
次いで、バッテリーポストＰに電極保持部１１を上方から被せ付け、バッテリーポストＰの側面に開口部１２を通して押さえ本体３０の後面を当接させる。その状態で、ボルト３１に対してナット３２を深くねじ込む。すると、アーム部２５が上記した掛止位置２３を支点として下方へ傾倒し、その傾倒動作に伴ってバッテリーポストＰの側面に押さえ本体３０の先端部３０Ａが食い込んで行く。そして、ナット３２が正規深さでねじ込まれると、アーム部２５が左下がりの所定勾配をもって傾斜するとともに、押さえ本体３０の先端部３０ＡがバッテリーポストＰの側面に所定深さで食い込み、バッテリーポストＰとの確実な接続がとられるようになる。このとき、ナット３２を無理にねじ込もうとしても、過度締付防止片２７がベース部１５と当接してそれ以上のねじ込み動作を阻止するから、ナット３２による過度の締め付けを防止できる。
【００２５】
さて、図５は、押さえ部２９の変位動作を説明するための概略図である。図５の（Ｂ）は、本実施形態において、変位部２０の後端位置からリング部２１を経て押さえ部２９に至るまでの領域を拡大して示すものである。一方、図５の（Ａ）は、途中で屈曲することなくリング部２１の延長軸上に配される比較用押さえ部４０を用いた参照例を示し、上記した図５の（Ｂ）に対応する図である。
【００２６】
ここで、一定のねじ込み量でナット３２を締め付け、押さえ部２９と比較用押さえ部４０とを、変位部２０の後端位置を支点としてそれぞれ同じ回動角Ｚで回動させる。すると、図５の（Ａ）の場合には、変位動作前に比較用押さえ部４０が変位部２０の後端位置と同じ高さに設定されていることに起因し、その先端部４０Ａの水平方向に関する変位量Ｘはさほど大きくならないのに対し、図５の（Ｂ）の場合には、変位動作前に押さえ本体３０の先端部３０Ａが変位部２０の後端位置よりも下方、つまり回動方向の先方に設定されていることに起因し、その先端部３０Ａの水平方向に関する変位量Ｙは図５の（Ａ）に比べて大きくなる。したがって、比較用押さえ部４０の先端部４０Ａの水平方向に関する変位量ＸによってバッテリーポストＰに対する充分な押し付け力が得られるとすれば、本実施形態の場合には、回動角Ｚよりも小さい回動角でナット３２のねじ操作を行えばよく、つまり、ナット３２のねじ込み量を少なく設定できるので、作業負担を軽減することができる。
【００２７】
以上のように本実施形態によれば、バッテリーポストＰの軸方向に沿ってナット３２のねじ操作を行うことにより、変位部２０がその後端を支点としてアーム部２５を押し下げる方向に傾倒し、その傾倒動作に伴って押さえ部２９がバッテリーポストＰの側面に食い込むようになっているから、変位部２０の後端を支点、アーム部２５とナット３２との係合位置を力点、押さえ部２９とバッテリーポストＰとの当接位置を作用点とするてこが構成され、操作力を低減することができる。また、押さえ部２９がバッテリーポストＰに対して直接作用しかつその側面に食い込むようになっているから、接続がより確実となる。
【００２８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２９】
（１）本発明によれば、変位部の変位動作の完了により、押さえ本体の先端部とバッテリーポストの側面との当接位置を支点としてアーム部が撓み変形させられ、その弾性反力によってナットの雌ねじとボルトの雄ねじとが密着する方向にナットが押し付けられる構成であってもよい。これにより、ナットが不用意に抜け方向に回転して緩んでしまうのを防止することができる。なお、上記実施形態の場合、アーム部は、過度締付防止片が設けられていることによって撓み変形し難い構造となっているので、過度締付防止片を廃止するかあるいは過度締付防止片をアーム部以外の位置に設けることで撓み変形容易な構造とするとよい。もちろん、過度締付防止片が設けられた状態でアーム部が撓み変形可能であれば、過度締付防止片を廃止等する必要はない。
【００３０】
（２）上記実施形態では、変位部はリング部とアーム部とから構成されていたが、本発明によれば、変位部は後端位置から前端位置にかけて電極保持部を回り込むように延出する態様であればよい。したがって、リング部の径寸法を電極保持部の径寸法に合わせて設定する必要はなく、またリング部の代わりに電極保持部の側面を回り込む半円弧状の部分を配設してもよい。
（３）上記実施形態では、押さえ部の押さえ片がバッテリーターミナルの側面に食い込むようになっていたが、本発明によれば、押さえ部の押さえ片が対向する電極保持部の内面との間にバッテリーターミナルの側面を押さえ付けて接続がとられていればよく、必ずしも食い込んでいなくてもよい。
（４）上記実施形態では、押さえ部の先端部が根元部分から屈曲する押さえ片となっていたが、本発明によれば、押さえ部の先端部が全長に亘って真直ぐ延びる形態であってもよい。
（５）上記実施形態では、電極保持部はバッテリーポストの側面を取り囲むように回曲して形成されていたが、本実施形態によれば、電極保持部は、押さえ部がバッテリーポストを押さえ付けたときにその押し付け力を受け止め可能な位置に配設されていればよく、つまりバッテリーポストの後端面を覆うようにして配設されていればよい。
【図面の簡単な説明】
【００３１】
【図１】本実施形態１のバッテリーターミナルの分解斜視図
【図２】バッテリーターミナルの斜視図
【図３】変位部が変位する前のバッテリーターミナルの側断面図
【図４】変位部が変位した後のバッテリーターミナルの側断面図
【図５】押さえ部の変位動作を説明するための概略図
【符号の説明】
【００３２】
Ｐ…バッテリーポスト
１０…バッテリーターミナル
１１…電極保持部
１５…ベース部
２０…変位部
２５…アーム部
２６…ボルト通し孔
２７…過度締付防止片
２９…押さえ部
３０…押さえ本体
３１…ボルト
３２…ナット
【図１】
2006318751.tif 000003
【図２】
2006318751.tif 000004
【図３】
2006318751.tif 000005
【図４】
2006318751.tif 000006
【図５】
2006318751.tif 000007